(57)【要約】【課題】  共用の容器本体に対して真空二重容器タイプの内容器と一重容器タイプの内容器とに対応可能ならしめる。【解決手段】  湯沸かし用の内容器３と、該内容器３を肩部に支持する容器本体１と、前記内容器３を加熱する加熱手段４とを備えた電気貯湯容器において、前記容器本体１を、内筒と外筒との間に真空空間を形成してなる真空二重容器からなる二重内容器を支持し得るように構成するとともに、前記容器本体１の肩部に、一重の金属製容器からなる一重内容器３Ｂを前記肩部との間にスペーサ２６を介在させた状態で支持して、高価な真空二重容器タイプの内容器を使用した電気貯湯容器の外観モデルを使用して、スペーサ２６を介在させるだけで、安価な一重内容器３Ｂを支持することが可能となるようにしている。【選択図】        図２
2009279235.tif 000002
【特許請求の範囲】
【請求項１】
湯沸かし用の内容器と、該内容器を肩部に支持する容器本体と、前記内容器を加熱する加熱手段とを備えた電気貯湯容器であって、前記容器本体を、内筒と外筒との間に真空空間を形成してなる真空二重容器からなる二重内容器を支持し得るように構成するとともに、前記容器本体の肩部には、一重の金属製容器からなる一重内容器を前記肩部との間にスペーサを介在させた状態で支持したことを特徴とする電気貯湯容器。
【請求項２】
前記一重内容器として、前記二重内容器の内筒を用いたことを特徴とする請求項１記載の電気貯湯容器。
【請求項３】
前記スペーサの高さ方向の長さを、前記容器本体の肩部を構成する肩部材の上下方向長さより長く設定したことを特徴とする請求項１および２のいずれか一項記載の電気貯湯容器。
【請求項４】
前記スペーサを、前記容器本体の肩部と前記内容器の口部とをシールする口パッキン部と前記肩部の内周側と前記内容器の外周面とをシールするスペーサ部とを一体に連結したものとしたことを特徴とする請求項１、２および３のいずれか一項記載の電気貯湯容器。
【発明の詳細な説明】
【技術分野】
【０００１】
本願発明は、電気貯湯容器に関し、さらに詳しくは外観モデルを共用し、真空二重容器タイプの内容器と一重容器タイプの内容器との二種類の製品を作り出し得るようにした電気貯湯容器に関するものである。
【背景技術】
【０００２】
従来、この種電気貯湯容器の場合、内筒と外筒との間に真空空間を形成してなる真空二重容器タイプの内容器を具備したものが知られている（特許文献１参照）。
【０００３】
【特許文献１】特開２００２−３３０８６９号公報
【発明の開示】
【発明が解決しようとする課題】
【０００４】
上記特許文献１に開示されている電気貯湯容器は、高性能ではあるが、高価な真空二重容器タイプの内容器を使用しているため、製品も高価なものとなっている。
【０００５】
一方、従来からよく知られている電気貯湯容器としては、安価な一重容器タイプの内容器を具備したものがある。
【０００６】
ところで、高価な真空二重容器タイプの内容器を使用した電気貯湯容器の外観モデル（即ち、容器本体）を用いて、安価な一重容器タイプの内容器を使用した電気貯湯容器を構成したいという要望があるが、高価な真空二重容器タイプの内容器を使用した電気貯湯容器の外観モデル（即ち、容器本体）と安価な一重容器タイプの内容器を使用した電気貯湯容器の外観モデル（即ち、容器本体）とでは構造的な問題があって共用できないという不具合があった。
【０００７】
本願発明は、上記の点に鑑みてなされたもので、共用の容器本体に対して真空二重容器タイプの内容器と一重容器タイプの内容器とに対応可能ならしめることを目的とするものである。
【課題を解決するための手段】
【０００８】
本願発明では、上記課題を解決するための第１の手段として、湯沸かし用の内容器と、該内容器を肩部に支持する容器本体と、前記内容器を加熱する加熱手段とを備えた電気貯湯容器において、前記容器本体を、内筒と外筒との間に真空空間を形成してなる真空二重容器からなる二重内容器を支持し得るように構成するとともに、前記容器本体の肩部に、一重の金属製容器からなる一重内容器を前記肩部との間にスペーサを介在させた状態で支持している。
【０００９】
上記のように構成したことにより、内筒と外筒との間に真空空間を形成してなる真空二重容器からなる二重内容器を支持し得るように構成された容器本体（即ち、高価な真空二重容器タイプの内容器を使用した電気貯湯容器の外観モデル）の肩部に、一重の金属製容器からなる一重内容器が前記肩部との間にスペーサを介在させた状態で支持されることとなる。従って、高価な真空二重容器タイプの内容器を使用した電気貯湯容器の外観モデルを使用して、スペーサを介在させるだけで、安価な一重内容器を支持することが可能となり、共用の容器本体に対して真空二重容器タイプの内容器と一重容器タイプの内容器とに対応が可能となる。
【００１０】
本願発明では、さらに、上記課題を解決するための第２の手段として、上記第１の手段を備えた電気貯湯容器において、前記一重内容器として、前記二重内容器の内筒を用いることもでき、そのように構成した場合、内容器と容器本体の蓋体とのシール性を容易に確保することができる。
【００１１】
本願発明では、さらに、上記課題を解決するための第３の手段として、上記第１又は第２の手段を備えた電気貯湯容器において、前記スペーサの高さ方向の長さを、前記容器本体の肩部を構成する肩部材の上下方向長さより長く設定することもでき、そのように構成した場合、スペーサと肩部材の内壁との接触面積を大きく確保することができ、安定性が増大する。
【００１２】
本願発明では、さらに、上記課題を解決するための第４の手段として、上記第１、第２又は第３の手段を備えた電気貯湯容器において、前記スペーサを、前記容器本体の肩部と前記内容器の口部とをシールする口パッキン部と前記肩部の内周側と前記内容器の外周面とをシールするスペーサ部とを一体に連結したものとすることもでき、そのように構成した場合、１個のスペーサによって、口パッキン部とスペーサ部との両方のシールを同時に確保することができることとなり、部品点数の低減および作業性の向上を図ることができる。
【発明の効果】
【００１３】
本願発明の第１の手段によれば、湯沸かし用の内容器と、該内容器を肩部に支持する容器本体と、前記内容器を加熱する加熱手段とを備えた電気貯湯容器において、前記容器本体を、内筒と外筒との間に真空空間を形成してなる真空二重容器からなる二重内容器を支持し得るように構成するとともに、前記容器本体の肩部に、一重の金属製容器からなる一重内容器を前記肩部との間にスペーサを介在させた状態で支持したので、高価な真空二重容器タイプの内容器を使用した電気貯湯容器の外観モデルを使用して、スペーサを介在させるだけで、安価な一重内容器を支持することが可能となり、共用の容器本体に対して真空二重容器タイプの内容器と一重容器タイプの内容器とに対応が可能となるという効果がある。
【００１４】
本願発明の第２の手段におけるように、上記第１の手段を備えた電気貯湯容器において、前記一重内容器として、前記二重内容器の内筒を用いることもでき、そのように構成した場合、内容器と容器本体の蓋体とのシール性を容易に確保することができる。
【００１５】
本願発明の第３の手段におけるように、上記第１又は第２の手段を備えた電気貯湯容器において、前記スペーサの高さ方向の長さを、前記容器本体の肩部を構成する肩部材の上下方向長さより長く設定することもでき、そのように構成した場合、スペーサと肩部材の内壁との接触面積を大きく確保することができ、安定性が増大する。
【００１６】
本願発明の第４の手段におけるように、上記第１、第２又は第３の手段を備えた電気貯湯容器において、前記スペーサを、前記容器本体の肩部と前記内容器の口部とをシールする口パッキン部と前記肩部の内周側と前記内容器の外周面とをシールするスペーサ部とを一体に連結したものとすることもでき、そのように構成した場合、１個のスペーサによって、口パッキン部とスペーサ部との両方のシールを同時に確保することができることとなり、部品点数の低減および作業性の向上を図ることができる。
【発明を実施するための最良の形態】
【００１７】
以下、添付の図面を参照して、本願発明の好適な実施の形態について詳述する。
【００１８】
図１には、真空二重容器タイプの内容器３Ａを使用した電気貯湯容器Ｚ1が示されている。
【００１９】
この電気貯湯容器Ｚ1は、湯沸かし用の内容器３Ａを備えた容器本体１と、該容器本体１の上部開口を開閉する蓋体２と、前記内容器３Ａの底部を加熱する加熱手段である電気ヒータ４と、前記内容器３Ａ内のお湯を外部へ給湯するための給湯通路５と、該給湯通路５の途中に設けられたポンプ装置である電動ポンプ６とを備えて構成されている。前記電気ヒータ４は、沸騰ヒータ４Ａと保温ヒータ４Ｂとからなっている。
【００２０】
前記容器本体１は、外側面を構成する板金製の外ケース７と、内周面を構成する前記内容器３Ａと、前記外ケース７の上部と内容器３Ａの上部とを結合する合成樹脂製の環状の肩部材８と、底面を構成する合成樹脂製の底板９とからなっている。
【００２１】
前記内容器３Ａは、ステンレス製の有底円筒形状の内筒１０とステンレス製の略円筒形状の外筒１１との間に真空空間１２を形成してなる真空二重容器からなっており、その底部には、前記内筒１０の底部のみからなる非真空部３ａが形成されている。該非真空部３ａの下面には、前記電気ヒータ４（例えば、雲母板に発熱体を保持させてなるマイカヒータ）が取り付けられている。
【００２２】
前記蓋体２は、合成樹脂製の上板１４と該上板１４に対して外周縁が嵌め合いにより結合された合成樹脂製の下板１５とからなっており、前記肩部材８の後部に設けられたヒンジ受け１６に対してヒンジピン１７を介して開閉且つ着脱自在に支持されている。符号１８は蒸気排出通路である。
【００２３】
前記蓋体２における下板１５には、金属製のカバー部材２０が固定されており、該カバー部材２０の外周縁には、蓋体２の閉蓋時において前記内容器３Ａの給水口２１に圧接されるシールパッキン２２が設けられている。
【００２４】
上記構成の電気貯湯容器Ｚ1は、保温用ヒータ４Ｂへの通電制御を行う通常の保温モード（換言すれば、設定保温温度制御モード）の他に、沸騰用ヒータ４Ａおよび保温用ヒータ４Ｂへの通電を停止した状態（即ち、電源コードを取り外した状態）で保温する魔法瓶保温モードによる使用が可能となっている。
【００２５】
図１において、符号２３は蓋体２を容器本体１に対して閉止状態に保持するためのロック機構、２４は後述する各種スイッチ類を備えた操作パネル部、２５はスイッチ基板である。
【００２６】
図２には、一重容器タイプの内容器３Ｂを使用した電気貯湯容器Ｚ2が示されている。
【００２７】
この電気貯湯容器Ｚ2の場合、内容器３Ｂとして、一重容器タイプのもの（例えば、前述の真空二重容器タイプの内容器３Ａにおける内筒１０）が使用されている。この内筒１０は、図３に示すように、上端口縁に形成されたフランジ部１０ａと、該フランジ部１０ａの下方に連続して絞り加工により形成された給水口２１とを備えて構成されている。また、この場合、容器本体１の肩部を構成する肩部材８には、一重の金属製容器からなる一重内容器３Ｂである内筒１０が前記肩部材８との間にスペーサ２６を介在させた状態で支持されている。該スペーサ２６は、前記容器本体１の肩部材８と前記内容器３Ｂの口部（換言すれば、フランジ部１０ａ）とをシールする口パッキン部２６ａと前記肩部材８の内周側と前記内容器３Ｂ（即ち、内筒１０）の外周面とをシールするスペーサ部２６ｂとを一体に連結したものとされており、このスペーサ２６の高さ方向の長さＬは、前記容器本体１の肩部を構成する肩部材８の上下方向長さＨより長く設定されている（図３参照）。また、前記スペーサ２６は、図４に示すよう、例えば弾性部材からなる環状体とされており、その下端外周には、斜めにカットされた傾斜面２７が形成されている。該傾斜面２７は、図３に示すように、スペーサ２６を内筒１０の上端外周側に組みつけた状態で、肩部材８に対して組み込む際にガイド面として作用することとなり、組み込み作業性が大幅に向上する。
【００２８】
容器本体１および蓋体２の構成は、図１に示す電気貯湯容器Ｚ1の場合と同じ構造とされる。なお、一重内容器として真空二重容器の内筒１０を用いているため、内筒１０の底部には、支持金具２８が必要となる。
【００２９】
上記のように構成したことにより、内筒１０と外筒１１との間に真空空間１２を形成してなる真空二重容器からなる二重内容器３Ａを支持し得るように構成された容器本体１（即ち、高価な真空二重容器タイプの内容器を使用した電気貯湯容器の外観モデル）の肩部材８に、一重の金属製容器からなる一重内容器３Ｂが前記肩部材８との間にスペーサ２６を介在させた状態で支持されることとなる。従って、高価な真空二重容器タイプの内容器３Ａを使用した電気貯湯容器の外観モデルを使用して、スペーサ２６を介在させるだけで、安価な一重内容器３Ｂを支持することが可能となり、共用の容器本体１に対して真空二重容器タイプの内容器３Ａと一重容器タイプの内容器３Ｂとに対応が可能となる。しかも、前記一重内容器３Ｂとして、前記二重内容器３Ａの内筒１０を用いたことにより、内容器３Ｂと容器本体１の蓋体２とのシール性を容易に確保することができる。また、スペーサ２６の高さ方向の長さＬを、容器本体１の肩部を構成する肩部材８の上下方向長さＨより長く設定したことにより、スペーサ２６と肩部材８の内壁との接触面積を大きく確保することができ、安定性が増大する。
【００３０】
本願発明は、上記実施の形態に限定されるものではなく、発明の要旨を逸脱しない範囲において適宜設計変更可能なことは勿論である。
【図面の簡単な説明】
【００３１】
【図１】本願発明の実施の形態にかかる電気貯湯容器であって、内容器として真空二重容器を用いた電気貯湯容器の縦断面図である。
【図２】本願発明の実施の形態にかかる電気貯湯容器であって、内容器として一重内容器（例えば、真空二重容器の内筒）を用いた電気貯湯容器の縦断面図である。
【図３】本願発明の実施の形態にかかる電気貯湯容器であって、内容器として一重内容器（例えば、真空二重容器の内筒）を用いた電気貯湯容器における部分拡大分解断面図である。
【図４】本願発明の実施の形態にかかる電気貯湯容器におけるスペーサの半截側面図である。
【符号の説明】
【００３２】
１は容器本体
２は蓋体
３Ａ，３Ｂは内容器
４は加熱手段（電気ヒータ）
８は肩部材
１０は内筒
１１は外筒
１２は真空空間
２６はスペーサ
２６ａは口パッキン部
２６ｂはスペーサ部
【図１】
2009279235.tif 000003
【図２】
2009279235.tif 000004
【図３】
2009279235.tif 000005
【図４】
2009279235.tif 000006